(57)【特許請求の範囲】
【請求項１】
ユーザデータを送信するための方法であって
第１の端末により、前記第１の端末の仮想加入者識別モジュールカード（仮想ＳＩＭカード）を第２の端末に移行するための命令を受信する段階と、
前記第１の端末により、前記命令に従って、前記仮想ＳＩＭカードに関連付けられるユーザデータを取得する段階であって、前記第１の端末により、前記命令に従って、前記仮想ＳＩＭカードに関連付けられるユーザデータを取得する前記段階が、
前記第１の端末により、前記命令に従って、前記仮想ＳＩＭカードのＳＩＭカードデータを取得する段階と、
前記第１の端末により、前記ユーザデータのローカル格納アドレスを取得する段階であって、前記ユーザデータの前記ローカル格納アドレスが、前記ＳＩＭカードデータに含まれ、前記ローカル格納アドレスが、前記ユーザデータが保存される前記第１の端末のローカルの永続的格納スペースにおけるアドレスである、段階と、
前記第１の端末により、前記ローカル格納アドレスに従って、前記ユーザデータを取得する段階と
を含む、段階と、
前記第１の端末により、サーバに前記ユーザデータを送信する段階、又は、前記第１の端末により、前記第２の端末に前記ユーザデータを送信する段階と
を備える
方法。
【請求項２】
前記第１の端末により、前記第２の端末に前記ＳＩＭカードデータを送信する段階
をさらに備え、
前記ＳＩＭカードデータは、前記第１の端末を電気通信事業者のネットワークに接続するために必要なデータを含む
請求項１に記載の方法。
【請求項３】
前記第１の端末により、サーバに前記ユーザデータを送信する前記段階は、
前記第１の端末により、前記ＳＩＭカードデータに含まれる、前記ユーザデータのネットワーク格納アドレスを取得する段階と、
前記第１の端末により、前記ネットワーク格納アドレスに対応するサーバに、前記ユーザデータをアップロードする段階と
を含む、
請求項１又は２に記載の方法。
【請求項４】
前記ユーザデータをダウンロードする要求を受信したときに前記サーバが前記第２の端末に前記ユーザデータを送信するよう、前記サーバに前記ユーザデータを送信するとき、前記第１の端末により、前記サーバに、前記ユーザデータの所有者識別子を送信する段階
をさらに備え、
前記要求は、前記第２の端末により送信され、前記所有者識別子を伝達する、
請求項１から３のいずれか一項に記載の方法。
【請求項５】
前記ユーザデータは、
連絡先情報、ショートメッセージ、テキスト文書、イメージデータ、ビデオデータ、及びオーディオデータという複数の種類のデータのうちの１つ又はそれらの任意の組み合わせを含む、
請求項１から４の何れか一項に記載の方法。
【請求項６】
ユーザデータを受信するための方法であって、
第２の端末により、第１の端末の仮想加入者識別モジュールカード（仮想ＳＩＭカード）を前記第２の端末に移行するための命令を受信する段階と、
前記第２の端末により、前記命令に従って、サーバにより送信され、前記仮想ＳＩＭカードに関連付けられるユーザデータを受信する段階、又は、前記第２の端末により、前記命令に従って、前記第１の端末により送信され、前記仮想ＳＩＭカードに関連付けられるユーザデータを受信する段階と、
前記第２の端末により、前記ユーザデータが保存される前記第２の端末のローカルの永続的格納スペースにおけるアドレスである、前記第２の端末のローカル格納アドレスを取得する段階と、
前記第２の端末により、前記第２の端末の前記ローカル格納アドレスに従って前記ローカルの永続的格納スペースに前記ユーザデータを保存する段階と、
前記第２の端末により、前記仮想ＳＩＭカードのＳＩＭカードデータに前記第２の端末の前記ローカル格納アドレスを記録する段階と
を備える
方法。
【請求項７】
前記第２の端末により、前記命令に従って、前記仮想ＳＩＭカードの前記ＳＩＭカードデータを受信する段階であって、前記仮想ＳＩＭカードの前記ＳＩＭカードデータは前記第１の端末により送信され、前記ＳＩＭカードデータは、前記第１の端末を電気通信事業者のネットワークに接続するために必要なデータ及び前記ユーザデータのローカル格納アドレスを含み、当該ローカル格納アドレスは、前記ユーザデータが保存される前記第１の端末のローカルの永続的格納スペースにおけるアドレスである、段階
をさらに備える
請求項６に記載の方法。
【請求項８】
前記第２の端末により、前記命令に従って、サーバにより送信され、前記仮想ＳＩＭカードに関連付けられるユーザデータを受信する前記段階は、
前記第２の端末により、前記命令に従って、前記第１の端末により送信される、前記仮想ＳＩＭカードのＳＩＭカードデータを受信する段階と、
前記第２の端末により、前記ＳＩＭカードデータに含まれる、前記ユーザデータのネットワーク格納アドレスを取得する段階と、
前記第２の端末により、前記ネットワーク格納アドレスに対応するサーバに前記ユーザデータを送信するよう要求する段階と、
前記第２の端末により、前記サーバにより送信される前記ユーザデータを受信する段階と
を含む、
請求項６又は７に記載の方法。
【請求項９】
端末デバイスであって、
仮想ＳＩＭカードを別の端末に移行するための命令を受信する命令受信ユニットと、
前記命令に従って、前記仮想ＳＩＭカードに関連付けられるユーザデータを取得するデータ取得ユニットであって、前記データ取得ユニットが、
前記命令に従って、前記仮想ＳＩＭカードのＳＩＭカードデータを取得し、
前記ユーザデータのローカル格納アドレスを取得し、
前記ローカル格納アドレスに従って、前記ユーザデータを取得し、
前記ユーザデータの前記ローカル格納アドレスが前記ＳＩＭカードデータに含まれ、前記ローカル格納アドレスが、前記ユーザデータが保存される前記端末デバイスのローカルの永続的格納スペースにおけるアドレスである、データ取得ユニットと、
サーバに前記ユーザデータを送信する、又は、前記別の端末に前記ユーザデータを送信するデータ出力ユニットと
を備える
端末デバイス。
【請求項１０】
前記端末デバイスは、前記別の端末に前記ＳＩＭカードデータを送信し、
前記ＳＩＭカードデータは、前記端末デバイスを電気通信事業者のネットワークに接続するために必要なデータを含む
請求項９に記載の端末デバイス。
【請求項１１】
前記データ取得ユニットは、
前記ＳＩＭカードデータに含まれる、前記ユーザデータのネットワーク格納アドレスを取得し、
前記データ出力ユニットは、
前記ネットワーク格納アドレスに対応するサーバに、前記ユーザデータをアップロードする、
請求項９又は１０に記載の端末デバイス。
【請求項１２】
前記データ出力ユニットは、
前記ユーザデータをダウンロードする要求を受信したときに前記サーバが前記別の端末に前記ユーザデータを送信するよう、
前記サーバに前記ユーザデータの所有者識別子をさらに送信し、
前記要求は、前記別の端末により送信され、前記所有者識別子を伝達する、
請求項９から１１のいずれか一項に記載の端末デバイス。
【請求項１３】
端末デバイスであって、
別の端末の仮想加入者識別モジュールカード（仮想ＳＩＭカード）を前記端末デバイスに移行するための命令を受信する命令受信ユニットと、
前記命令に従って、サーバにより送信され、前記仮想ＳＩＭカードに関連付けられるユーザデータを受信する第１のデータ受信ユニット、及び、前記命令に従って、前記別の端末により送信され、前記仮想ＳＩＭカードに関連付けられるユーザデータを受信する第２のデータ受信ユニット、のうち少なくとも１つと、
前記ユーザデータを受信した後、前記ユーザデータが保存される前記端末デバイスのローカルの永続的格納スペースにおけるアドレスである、前記端末デバイスのローカル格納アドレスを取得し、前記仮想ＳＩＭカードのＳＩＭカードデータに前記端末デバイスの前記ローカル格納アドレスを記録するローカル記録ユニットであって、前記ユーザデータが、前記端末デバイスの前記ローカル格納アドレスに従って前記ローカルの永続的格納スペースに保存される、ローカル記録ユニットと
を備える
端末デバイス。
【請求項１４】
前記端末デバイスは、前記仮想ＳＩＭカードの前記ＳＩＭカードデータを受信し、前記仮想ＳＩＭカードの前記ＳＩＭカードデータは前記別の端末により送信され、前記ＳＩＭカードデータは、前記別の端末を電気通信事業者のネットワークに接続するために必要なデータ及び前記ユーザデータのローカル格納アドレスを含み、当該ローカル格納アドレスは、前記ユーザデータが保存される前記別の端末のローカルの永続的格納スペースにおけるアドレスである、
請求項１３に記載の端末デバイス。
【請求項１５】
前記第１のデータ受信ユニットは、
前記命令に従って、前記別の端末により送信される、前記仮想ＳＩＭカードのＳＩＭカードデータを受信し、
前記ＳＩＭカードデータに含まれる、前記ユーザデータのネットワーク格納アドレスを取得し、
前記ネットワーク格納アドレスに対応するサーバに前記ユーザデータを送信するよう要求し、
前記サーバにより送信される前記ユーザデータを受信する、
請求項１３又は１４に記載の端末デバイス。
【請求項１６】
端末デバイスであって、
仮想ＳＩＭカードに関連付けられるユーザデータを格納するローカルの永続的格納スペースであるメモリと、
前記仮想ＳＩＭカードを別の端末に移行するための命令を受信し、前記命令に従って、前記ユーザデータを取得するプロセッサであって、前記プロセッサが、
前記命令に従って、前記仮想ＳＩＭカードのＳＩＭカードデータを取得し、
前記ユーザデータのローカル格納アドレスを取得し、
前記ローカル格納アドレスに従って、前記ユーザデータを取得し、
前記ユーザデータの前記ローカル格納アドレスが前記ＳＩＭカードデータに含まれ、前記ローカル格納アドレスが、前記ユーザデータが格納される前記メモリにおけるアドレスである、プロセッサと、
サーバに前記ユーザデータを送信する、又は、前記別の端末に前記ユーザデータを送信する送信機と
を備える
端末デバイス。
【請求項１７】
前記端末デバイスは、前記別の端末に前記ＳＩＭカードデータを送信し、
前記ＳＩＭカードデータは、前記端末デバイスを電気通信事業者のネットワークに接続するために必要なデータを含む
請求項１６に記載の端末デバイス。
【請求項１８】
前記メモリは、前記仮想ＳＩＭカードのＳＩＭカードデータを格納する
請求項１６又は１７に記載の端末デバイス。
【請求項１９】
前記プロセッサは、
前記ＳＩＭカードデータに含まれる、前記ユーザデータのネットワーク格納アドレスを取得し、
前記送信機は、
前記ネットワーク格納アドレスに対応するサーバに、前記ユーザデータをアップロードする、
請求項１６から１８のいずれか一項に記載の端末デバイス。
【請求項２０】
前記送信機は、
前記ユーザデータをダウンロードする要求を受信したときに前記サーバが前記別の端末に前記ユーザデータを送信するよう、
前記サーバに、前記ユーザデータの所有者識別子をさらに送信し、
前記要求は、前記別の端末により送信され、前記所有者識別子を伝達する、
請求項１６から１９のいずれか一項に記載の端末デバイス。
【請求項２１】
端末デバイスであって、
別の端末の仮想加入者識別モジュールカード（仮想ＳＩＭカード）を前記端末デバイスに移行するための命令を受信するプロセッサと、
前記命令に従って、サーバにより送信され、前記仮想ＳＩＭカードに関連付けられるユーザデータを受信する、又は、前記命令に従って、前記別の端末により送信され、前記仮想ＳＩＭカードに関連付けられるユーザデータを受信するトランシーバと、
前記ユーザデータを格納するローカルの永続的格納スペースであるメモリと
を備え、
前記プロセッサは、
前記トランシーバによって前記ユーザデータが受信された後、前記ユーザデータが格納される前記メモリにおけるアドレスである、前記端末デバイスのローカル格納アドレスを取得し、前記端末デバイスの前記ローカル格納アドレスに従って前記メモリに前記ユーザデータを保存し、前記仮想ＳＩＭカードのＳＩＭカードデータに前記端末デバイスの前記ローカル格納アドレスを記録する
端末デバイス。
【請求項２２】
前記端末デバイスは、前記仮想ＳＩＭカードの前記ＳＩＭカードデータを受信し、前記仮想ＳＩＭカードの前記ＳＩＭカードデータは前記別の端末により送信され、前記ＳＩＭカードデータは、前記別の端末を電気通信事業者のネットワークに接続するために必要なデータ及び前記ユーザデータのローカル格納アドレスを含み、当該ローカル格納アドレスは、前記ユーザデータが保存される前記別の端末のローカルの永続的格納スペースにおけるアドレスである、
請求項２１に記載の端末デバイス。
【請求項２３】
前記命令に従って、サーバにより送信され、前記仮想ＳＩＭカードに関連付けられるユーザデータを受信する前記トランシーバは、
前記命令に従って、前記別の端末により送信される、前記仮想ＳＩＭカードのＳＩＭカードデータを受信し、
前記ＳＩＭカードデータに含まれる、前記ユーザデータのネットワーク格納アドレスに対応するサーバに、前記ユーザデータを送信するよう要求し、
前記サーバにより送信される前記ユーザデータを受信する、
請求項２１又は２２に記載の端末デバイス。
【請求項２４】
前記メモリは、前記トランシーバが、前記別の端末により送信される、前記仮想ＳＩＭカードの前記ＳＩＭカードデータを受信した後、前記ＳＩＭカードデータを格納する
請求項２１から２３のいずれか一項に記載の端末デバイス。
【発明の詳細な説明】
【技術分野】
【０００１】
本願発明は、通信技術の分野に関し、特に、ユーザデータを送信及び受信するための複数の方法及び複数の端末デバイスに関する。
【背景技術】
【０００２】
携帯電話又は第３世代（ｔｈｉｒｄ  ｇｅｎｅｒａｔｉоｎ，３Ｇ）移動通信ＷＡＮカードなどの端末の加入者識別モジュール（Ｓｕｂｓｃｒｉｂｅｒ  Ｉｄｅｎｔｉｔｙ  Ｍｏｄｕｌｅ，ＳＩＭ）カードには、国際移動加入者識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ，ＩＭＳＩ）、認証キー、及び事業者のネットワークの関連パラメータを含む、端末を電気通信事業者のネットワークに接続するのに必要なＳＩＭカードデータが記録されている。端末は、端末自体にＳＩＭカードがインストールされた後のみ、通信機能を実行することができる。
【０００３】
ＳＩＭカードは、一定の格納スペースをさらに有し、端末は、ＳＩＭカードにいくつかのユーザデータを保存することができ、例えば、端末は、連絡先情報又はショートメッセージをＳＩＭカードに保存する。ＳＩＭカードが複数の異なる端末に挿入されたとき、ユーザデータが複数の異なる携帯電話の間で移行されることができる。ユーザがＳＩＭカードのユーザデータを使用する必要があるとき、端末の関連プログラムを用いてＳＩＭカードからユーザデータが読み取られることができる。
【０００４】
技術の進歩につれ、人々が仮想ＳＩＭカード解決策をさらに提案する。すなわち、物理的形態のＳＩＭカードを端末に挿入することなく、ＳＩＭカードデータをダウンロードし、端末の安全格納領域にＳＩＭカードデータを保存し、対応する管理モジュールを用いて端末によりその領域のデータを読み出すことによって、通信機能が実行される。このように、ＳＩＭカードデータの使用及び管理がより容易となり、加えて、ＳＩＭカードスロットによる制限がないため、１つの端末に複数の仮想ＳＩＭカードが提供されることができる。
【０００５】
仮想ＳＩＭカードの先行技術では、仮想ＳＩＭカードが複数の端末の間で移行されるとき、すなわち、ＳＩＭカードデータが一端末から削除されて別の端末にインストールされるとき、仮想ＳＩＭカードは物理ＳＩＭカードのようにその自身の格納スペースを用いて連絡先情報などのユーザデータを伝達することができないため、ユーザデータがＳＩＭカードデータと共に新たな端末に移行されることができず、ユーザは、ユーザデータを別途に移行することしかできず利便性が不十分である。
【発明の概要】
【０００６】
本願発明の複数の実施形態では、ユーザデータを送信及び受信するための複数の方法及び複数の端末デバイスを提供し、ユーザデータがＳＩＭカードデータと共に移行できないという問題を解決する。
【０００７】
第１の態様によれば、本願発明の実施形態では、ユーザデータを送信するための方法を提供し、当該方法は、第１の端末により、第１の端末の仮想加入者識別モジュールＳＩＭカードを第２の端末に移行するための命令を受信する段階と、第１の端末により、命令に従って、仮想ＳＩＭカードに関連付けられるユーザデータを取得する段階と、第１の端末により、サーバにユーザデータを送信する段階、又は、第１の端末により、第２の端末にユーザデータを送信する段階とを備える。
【０００８】
第１の態様に関連して、第１の可能な実装方式では、第１の端末により、命令に従って、仮想ＳＩＭカードに関連付けられるユーザデータを取得する段階は、第１の端末により、命令に従って、仮想ＳＩＭカードのＳＩＭカードデータを取得する段階と、第１の端末により、ＳＩＭカードデータに含まれる、ユーザデータのローカル格納アドレスを取得する段階と、第１の端末により、ローカル格納アドレスに従って、ユーザデータを取得する段階とを含む。
【０００９】
第１の態様の第１の可能な実装方式に関連して、第２の可能な実装方式において、第１の端末により、サーバにユーザデータを送信する段階は、第１の端末により、ＳＩＭカードデータに含まれる、ユーザデータのネットワーク格納アドレスを取得する段階と、第１の端末により、ネットワーク格納アドレスに対応するサーバに、ユーザデータをアップロードする段階とを含む。
【００１０】
第１の態様に関連して、第３の可能な実装方式では、ユーザデータをダウンロードする要求を受信したときにサーバが第２の端末にユーザデータを送信するよう、サーバにユーザデータを送信するとき、第１の端末により、サーバにユーザデータの所有者識別子を送信する段階であって、要求は第２の端末により送信され、所有者識別子を伝達する、段階を、方法はさらに備える。
【００１１】
第１の態様に関連して、第４の可能な実装方式では、第１の端末により、命令に従って、仮想ＳＩＭカードに関連付けられるユーザデータを取得する段階は、第１の端末により、命令に従って、ユーザデータを含む、仮想ＳＩＭカードのＳＩＭカードデータを取得する段階を含み、第１の端末により、サーバにユーザデータを送信する段階、又は、第１の端末により、第２の端末にユーザデータを送信する段階は、第１の端末により、サーバにＳＩＭカードデータを送信する段階、又は、第１の端末により、第２の端末にＳＩＭカードデータを送信する段階を含む。
【００１２】
第１の態様又は第１の態様の第１から第４の可能な実装方式のうちの何れか１つに関連して、第５の可能な実装方式では、ユーザデータは、連絡先情報、ショートメッセージ、テキスト文書、イメージデータ、ビデオデータ、及びオーディオデータという複数の種類のデータのうちの１つ又はそれらの任意の組み合わせを含む。
【００１３】
第２の態様によれば、本願発明の実施形態では、ユーザデータを受信するための方法を提供し、当該方法は、第２の端末により、第１の端末の仮想加入者識別モジュールＳＩＭカードを第２の端末に移行するための命令を受信する段階と、第２の端末により、命令に従って、サーバにより送信され、仮想ＳＩＭカードに関連付けられるユーザデータを受信する段階、又は、第２の端末により、命令に従って、第１の端末により送信され、仮想ＳＩＭカードに関連付けられるユーザデータを受信する段階とを備える。
【００１４】
第２の態様に関連して、第１の可能な実装方式では、第２の端末により、命令に従って、サーバにより送信され、仮想ＳＩＭカードに関連付けられるユーザデータを受信する段階は、第２の端末により、命令に従って、第１の端末により送信される、仮想ＳＩＭカードのＳＩＭカードデータを受信する段階と、第２の端末により、ＳＩＭカードデータに含まれる、ユーザデータのネットワーク格納アドレスを取得する段階と、第２の端末により、ネットワーク格納アドレスに対応するサーバにユーザデータを送信するよう要求する段階と、第２の端末により、サーバにより送信されるユーザデータを受信する段階とを含む。
【００１５】
第２の態様の第１の可能な実装方式に関連して、第２の可能な実装方式では、第２の端末により、サーバにより送信されるユーザデータを受信する段階に続き、方法は、第２の端末により、ユーザデータのローカル格納アドレスを取得する段階と、第２の端末により、ＳＩＭカードデータに、ローカル格納アドレスを記録する段階とをさらに備える。
【００１６】
第３の態様によれば、本願発明の実施形態では、端末デバイスを提供し、当該端末デバイスは、仮想ＳＩＭカードを別の端末に移行するための命令を受信するよう構成される命令受信ユニットと、命令に従って、仮想ＳＩＭカードに関連付けられるユーザデータを取得するよう構成されるデータ取得ユニットと、サーバにユーザデータを送信する、又は、別の端末にユーザデータを送信するよう構成されるデータ出力ユニットとを備える。
【００１７】
第３の態様に関連して、第１の可能な実装方式では、データ取得ユニットは、命令に従って、仮想ＳＩＭカードのＳＩＭカードデータを取得し、ＳＩＭカードデータに含まれる、ユーザデータのローカル格納アドレスを取得し、ローカル格納アドレスに従ってユーザデータを取得するよう具体的に構成される。
【００１８】
第３の態様の第１の可能な実装方式に関連して、第２の可能な実装方式では、データ取得ユニットは、ＳＩＭカードデータに含まれる、ユーザデータのネットワーク格納アドレスを取得するよう具体的に構成され、データ出力ユニットは、ネットワーク格納アドレスに対応するサーバに、ユーザデータをアップロードするよう具体的に構成される。
【００１９】
第３の態様に関連して、第３の可能な実装方式では、データ出力ユニットは、サーバにユーザデータの所有者識別子を送信するようさらに構成され、これにより、ユーザデータをダウンロードする要求を受信したとき、サーバが別の端末にユーザデータを送信する。当該要求は、その別の端末により送信され、所有者識別子を伝達する。
【００２０】
第３の態様に関連して、第４の可能な実装方式では、データ取得ユニットは、命令に従って、ユーザデータを含む、仮想ＳＩＭカードのＳＩＭカードデータを取得するよう具体的に構成され、データ出力ユニットは、サーバにＳＩＭカードデータを送信する、又は、その別の端末にＳＩＭカードデータを送信するよう具体的に構成される。
【００２１】
第４の態様によれば、本願発明の実施形態では、端末デバイスを提供し、当該端末デバイスは、別の端末の仮想加入者識別モジュールＳＩＭカードを当端末に移行するための命令を受信するよう構成される命令受信ユニットと、命令に従って、サーバにより送信され、仮想ＳＩＭカードに関連付けられるユーザデータを受信するよう構成される第１のデータ受信ユニットと、及び／又は、命令に従って、その別の端末により送信され、仮想ＳＩＭカードに関連付けられるユーザデータを受信するよう構成される第２のデータ受信ユニットとを備える。
【００２２】
第４の態様に関連して、第１の可能な実装方式では、第１のデータ受信ユニットは、命令に従って、その別の端末により送信される、仮想ＳＩＭカードのＳＩＭカードデータを受信し、ＳＩＭカードデータに含まれる、ユーザデータのネットワーク格納アドレスを取得し、ネットワーク格納アドレスに対応するサーバにユーザデータを送信するよう要求し、サーバにより送信されるユーザデータを受信するよう具体的に構成される。
【００２３】
第４の態様の第１の可能な実装方式に関連して、第２の可能な実装方式では、端末デバイスは、第１のデータ受信ユニットがサーバにより送信されるユーザデータを受信した後、そのユーザデータのローカル格納アドレスを取得し、ＳＩＭカードデータに、ローカル格納アドレスを記録するよう構成されるローカル記録ユニットをさらに備える。
【００２４】
第５の態様によれば、本願発明の実施形態では、端末デバイスを提供し、当該端末デバイスは、仮想ＳＩＭカードに関連付けられるユーザデータを格納するよう構成されるメモリと、仮想ＳＩＭカードを別の端末に移行するための命令を受信し、命令に従ってユーザデータを取得するよう構成されるプロセッサと、サーバにユーザデータを送信する、又は別の端末にユーザデータを送信するよう構成される送信機とを備える。
【００２５】
第５の態様に関連して、第１の可能な実装方式では、メモリは、仮想ＳＩＭカードのＳＩＭカードデータを格納するようさらに構成され、命令に従って、ユーザデータを取得するよう構成されるプロセッサは、命令に従って、ＳＩＭカードデータを取得し、ＳＩＭカードデータに含まれる、ユーザデータのローカル格納アドレスを取得し、ローカル格納アドレスに従ってユーザデータを取得する。
【００２６】
第５の態様の第１の可能な実装方式に関連して、第２の可能な実装方式では、プロセッサは、ＳＩＭカードデータに含まれる、ユーザデータのネットワーク格納アドレスを取得するようさらに構成され、送信機は、ネットワーク格納アドレスに対応するサーバにユーザデータをアップロードするよう具体的に構成される。
【００２７】
第５の態様に関連して、第３の可能な実装方式では、送信機は、サーバにユーザデータの所有者識別子を送信するようさらに構成され、これにより、ユーザデータをダウンロードする要求を受信したとき、サーバが別の端末にユーザデータを送信する。当該要求はその別の端末により送信され、所有者識別子を伝達する。
【００２８】
第５の態様に関連して、第４の可能な実装方式では、メモリは、仮想ＳＩＭカードのＳＩＭカードデータを格納するようさらに構成され、命令に従って、ユーザデータを取得するよう構成されるプロセッサは、命令に従って、ユーザデータを含むＳＩＭカードデータを取得し、送信機は、サーバにＳＩＭカードデータを送信する、又はその別の端末にＳＩＭカードデータを送信するよう具体的に構成される。
【００２９】
第６の態様によれば、本願発明の実施形態は、端末デバイスを提供し、当該端末デバイスは、別の端末の仮想加入者識別モジュールＳＩＭカードを当端末に移行するための命令を受信するよう構成されるプロセッサと、命令に従って、サーバにより送信され、仮想ＳＩＭカードに関連付けられるユーザデータを受信する、又は、命令に従って、その別の端末により送信され、仮想ＳＩＭカードに関連付けられるユーザデータを受信するよう構成されるトランシーバと、ユーザデータを格納するよう構成されるメモリとを備える。
【００３０】
第６の態様に関連して、第１の可能な実装方式では、命令に従って、サーバにより送信され、仮想ＳＩＭカードに関連付けられるユーザデータを受信するよう構成されるトランシーバは、命令に従って、その別の端末により送信される、仮想ＳＩＭカードのＳＩＭカードデータを受信し、ＳＩＭカードデータに含まれる、ユーザデータのネットワーク格納アドレスに対応するサーバにユーザデータを送信するよう要求し、サーバにより送信されるユーザデータを受信する。
【００３１】
第６の態様の第１の可能な実装方式に関連して、第２の可能な実装方式では、メモリは、トランシーバが、別の端末により送信される、仮想ＳＩＭカードのＳＩＭカードデータを受信した後、ＳＩＭカードデータを格納するようさらに構成され、プロセッサは、トランシーバがサーバにより送信されるユーザデータを受信した後、ユーザデータのローカル格納アドレスを取得し、メモリに格納されているＳＩＭカードデータに、ローカル格納アドレスを記録するようさらに構成される。
【００３２】
本願発明の複数の実施形態では、第１の端末が、第１の端末の仮想加入者識別モジュールＳＩＭカードを第２の端末に移行するための命令を受信し、第１の端末は、命令に従って、仮想ＳＩＭカードに関連付けられるユーザデータを取得し、第１の端末は、サーバにユーザデータを送信する、又は、第１の端末は、第２の端末にユーザデータを送信する。これにより、第１の端末が第２の端末に仮想ＳＩＭカードを移行したとき、第２の端末は仮想ＳＩＭカードに関連付けられるユーザデータを取得し、それにより、ユーザによりユーザデータを別途に移行することを避け、ユーザの処理ステップを減少させ、より高まる利便性を提供する。
【図面の簡単な説明】
【００３３】
【図１】本願発明の実施形態に係るユーザデータを送信するための方法の概略フローチャートである。
【００３４】
【図２】本願発明の実施形態に係る複数のユーザデータ格納アドレスについての情報の概略図である。
【００３５】
【図３】本願発明の実施形態に係るユーザデータを受信するための方法の概略フローチャートである。
【００３６】
【図４】本願発明の具体的な実施形態１に係る概略フローチャートである。
【図５】本願発明の具体的な実施形態１に係る概略フローチャートである。
【００３７】
【図６】本願発明の具体的な実施形態２に係る概略フローチャートである。
【００３８】
【図７】本願発明の実施形態に係る端末デバイスの概略構造図である。
【図８】本願発明の実施形態に係る端末デバイスの概略構造図である。
【図９】本願発明の実施形態に係る端末デバイスの概略構造図である。
【図１０】本願発明の実施形態に係る端末デバイスの概略構造図である。
【発明を実施するための形態】
【００３９】
本願発明の複数の実施形態は、ユーザデータを送信及び受信するための複数の方法及び複数の端末デバイスを提供し、複数の方法及び複数の端末デバイスは、仮想ＳＩＭカードが複数の端末の間で移行されるとき、仮想ＳＩＭカードを受信する端末が、その仮想ＳＩＭカードに関連付けられるユーザデータを取得することができることを実現するために用いられ、それにより、ユーザの処理ステップを減少させ、より高い利便性を提供する。
【００４０】
図１を参照すると、本願発明の実施形態に提供される、ユーザデータを送信するための方法が以下の段階を含む。
【００４１】
Ｓ１０１：第１の端末が、第１の端末の仮想加入者識別モジュールＳＩＭカードを第２の端末に移行するための命令を受信する。
【００４２】
Ｓ１０２：第１の端末は、命令に従って、仮想ＳＩＭカードに関連付けられるユーザデータを取得する。
【００４３】
Ｓ１０３：第１の端末は、サーバにユーザデータを送信する、又は、第１の端末は、第２の端末にユーザデータを送信する。
【００４４】
本願発明のこの実施形態では、ユーザが、以下の２つの方式で、仮想ＳＩＭカードと、仮想ＳＩＭカードと共に移行される必要のあるユーザデータとを事前に関連付ける。１つの方式が、仮想ＳＩＭカードのＳＩＭカードデータにおいて一定の格納スペースを留保することである。これにより、ユーザは管理モジュールを用いて留保した格納スペースのユーザデータに対して書き込み、削除、修正、及び照会を直接に行う。もう１つの方式は、ＳＩＭカードデータに、ローカル格納スペースのアドレス情報を新たに追加することであり、仮想ＳＩＭカードと共に移行される必要がある、ユーザの全てのユーザデータが、このローカル格納スペースに格納され、ユーザは、このローカル格納スペースにおいてユーザデータの書き込み、削除、修正及び照会などの複数の操作を実行することができる。管理モジュールとは、アプリケーションプログラムと仮想ＳＩＭカードとの間のモジュールであり、アプリケーションプログラムによる呼び出しのためのアプリケーション・プログラミング・インターフェース（Ａｐｐｌｉｃａｔｉｏｎ  Ｐｒｏｇｒａｍｍｉｎｇ  Ｉｎｔｅｒｆａｃｅ，ＡＰＩ）を提供する。ＳＩＭカードデータに対するいかなる操作は、管理モジュールを用いることによってのみ、実行されることができる。
【００４５】
任意に、命令に従って第１の端末により、仮想ＳＩＭカードに関連付けられるユーザデータを取得する段階は、第１の端末により、命令に従って、ユーザデータを含む、仮想ＳＩＭカードのＳＩＭカードデータを取得する段階を含み、第１の端末により、サーバにユーザデータを送信する段階、又は、第１の端末により、第２の端末にユーザデータを送信する段階は、第１の端末により、サーバにＳＩＭカードデータを送信する段階、又は、第１の端末により、第２の端末にＳＩＭカードデータを送信する段階を含む。
【００４６】
任意に、第１の端末により、命令に従って、仮想ＳＩＭカードに関連付けられるユーザデータを取得する段階は、第１の端末により、命令に従って、仮想ＳＩＭカードのＳＩＭカードデータを取得する段階と、第１の端末により、ＳＩＭカードデータに含まれる、ユーザデータのローカル格納アドレスを取得する段階と、第１の端末により、ローカル格納アドレスに従って、ユーザデータを取得する段階とを含む。
【００４７】
さらに、第１の端末が、ローカル格納アドレスに従って、ユーザデータを取得した後、第１の端末により、サーバにユーザデータを送信する段階は、第１の端末により、ＳＩＭカードデータに含まれる、ユーザデータのネットワーク格納アドレスを取得する段階と、第１の端末により、ネットワーク格納アドレスに対応するサーバに、ユーザデータをアップロードする段階とを含み、これにより、サーバは、第２の端末に、ユーザデータを転送する。ＳＩＭカードデータは、より大きいローカル格納スペースを用いてユーザデータが保存されるよう、ユーザデータのローカル格納アドレスだけを含むのではなく、データが第２の端末に移行されるときにネットワーク格納スペースが移行のために用いられるよう、ユーザデータのネットワーク格納アドレスも含む。図２に示されているように、２つのセットのアドレス情報がＳＩＭカードデータに記録され、各セットのアドレス情報は、データ種類及びデータ位置という２つのサブアイテムを含む。データ種類は、ローカルデータとリモートデータとを含み、ローカルデータは、データがセキュアデジタル（Ｓｅｃｕｒｅ  Ｄｉｇｉｔａｌ，ＳＤ）カード又はハードディスクなどの、端末のローカルの永続的格納スペースに保存されることを指し、リモートデータは、データがネットワーク側上のサーバに保存されることを指す。対応的に、データ位置は、ローカル格納アドレスと、ネットワーク格納アドレスとを含む。ネットワーク格納アドレスに対応するサーバにアップロードされた後、第１の端末のユーザデータは、リモートデータになり、第２の端末は、受信されたＳＩＭカードデータのネットワーク格納アドレスに従って、サーバに要求を送信し、サーバからリモートデータをダウンロードし、仮想ＳＩＭカードのデータに元々記録されているローカル格納アドレスに、リモートデータのローカル格納アドレスを上書きする。
【００４８】
具体的には、例として、ＸＭＬフォーマットを用いて、ＳＩＭカードデータにおいてローカルコンタクト（ＬｏｃａｌＣｏｎｔａｃｔ）（ローカルデータ）及びリモートコンタクト（ＲｅｍｏｔｅＣｏｎｔａｃｔ）（リモートデータ）の複数の格納アドレスを記録する方式は、以下の通りである。＜？ｘｍｌ  ｖｅｒｓｉｏｎ＝"１．０"  ｅｎｃｏｄｉｎｇ＝"ＵＴＦ−８"？＞＜Ｄａｔａ＞＜ＬｏｃａｌＣｏｎｔａｃｔ＞．／ｄｅｖｉｃｅ／ｒｏｃｋｃｈｉｐ／ｒｋ３０ｓｄｋ／ｃｏｎｔｒａｃｔ．ｄａｔ＜／ｌｏｃａｌＣｏｎｔａｃｔ＞  ／／ａ  ｆｉｌｅ  ｐａｔｈ  ｏｆ  ｌｏｃａｌ  ｄａｔａ＜ＲｏｍｏｔｅＣｏｎｔａｃｔ＞ｈｔｔｐ：／／ｗｗｗ．ａ．ｃｏｍ／ｃｏｎｔｒａｃｔ／ｕｓｅｒｉｄ＜／ＲｅｍｏｔｅＣｏｎｔａｃｔ＞  ／／ａ  ＵＲＩ  ｏｆ  ｒｅｍｏｔｅ  ｄａｔａ＜／Ｄａｔａ＞
【００４９】
好ましくは、サーバが複数の端末に対して同時にユーザデータ移行のサービスを提供し得るため、サーバが第１の端末のユーザデータを第２の端末に確実に転送することを可能にするために、サーバにユーザデータを送信するとき、第１の端末は、ユーザデータの所有者識別子をサーバに送信する。これにより、第２の端末により送信され、所有者識別子を伝達する、ユーザデータをダウンロードする要求を受信したとき、サーバは、要求に伝達される所有者識別子に従って、第１の端末によりアップロードされたユーザデータを見付けて第２の端末にそのユーザデータを送信する。
【００５０】
所有者識別子は、仮想ＳＩＭカードの識別子、又はＳＩＭカードデータに含まれる携帯電話番号、若しくは、他の特定の情報であってよい。
【００５１】
具体的に、第１の端末により、第２の端末にＳＩＭカードデータを送信する段階は、第１の端末により、取り外し可能な記憶媒体を用いて、又は、近距離通信を実行して、第２の端末にＳＩＭカードデータを送信する段階を含む。例えば、ＳＤカード、Ｂｌｕｅｔｏｏｔｈ（登録商標）、近距離通信（Ｎｅａｒ  Ｆｉｅｌｄ  Ｃｏｍｍｕｎｉｃａｔｉｏｎ，ＮＦＣ）、又は他の方式が送信のために用いられ得る。第１の端末により、第２の端末にユーザデータを送信する段階はまた、サーバを用いることに加えて、これらの方式のうちの１つにおいて実行され得る。
【００５２】
具体的には、ユーザデータは、連絡先情報、ショートメッセージ、テキスト文書、イメージデータ、ビデオデータ、及びオーディオデータという複数の種類のデータのうちの１つ又はそれらの任意の組み合わせを含む。仮想ＳＩＭカードに関連付けられるユーザデータが、端末の格納スペースを用いて保存され、格納スペースは、比較的大きい格納容量を有する。少量の連絡先情報及びショートメッセージしか伝達できない物理ＳＩＭカードと比較すると、本願発明のこの実施形態は、仮想ＳＩＭカードがより豊かなフォーマットを有するより大量のデータを伝達することを実現することができる。
【００５３】
図３を参照すると、本願発明の実施形態に提供される、ユーザデータを受信するための方法が以下の段階を含む。
【００５４】
Ｓ３０１：第２の端末が、第１の端末の仮想加入者識別モジュールＳＩＭカードを第２の端末に移行するための命令を受信する。
【００５５】
Ｓ３０２：第２の端末は、命令に従って、サーバにより送信され、仮想ＳＩＭカードに関連付けられるユーザデータを受信する、又は、第２の端末は、命令に従って、第１の端末により送信され、仮想ＳＩＭカードに関連付けられるユーザデータを受信する。
【００５６】
具体的には、ステップＳ３０２では、第２の端末により、命令に従って、サーバにより送信され、仮想ＳＩＭカードに関連付けられるユーザデータを受信する段階は、第２の端末により、命令に従って、第１の端末により送信される、仮想ＳＩＭカードのＳＩＭカードデータを受信する段階と、第２の端末により、ＳＩＭカードデータに含まれる、ユーザデータのネットワーク格納アドレスを取得する段階と、第２の端末により、ネットワーク格納アドレスに対応するサーバにユーザデータを送信するよう要求する段階と、第２の端末により、サーバにより送信されるユーザデータを受信する段階とを含む。
【００５７】
さらに、第２の端末により、サーバにより送信されるユーザデータを受信した後、方法は、第２の端末により、ユーザデータのローカル格納アドレスを取得する段階と、第２の端末により、ＳＩＭカードデータに、ローカル格納アドレスを記録する段階とをさらに備える。
【００５８】
以下は、本願発明の複数の具体的な実施形態である。
【００５９】
具体的な実施形態１：ユーザデータがサーバを用いて複数の端末の間で移行される。図４に示されているように、仮想ＳＩＭカードがそこから移行されていくソース端末側でのユーザデータのアップロード処理が、以下を含む。
【００６０】
１．０．端末が仮想ＳＩＭカードを移行するための命令を受信する。
【００６１】
実際の応用では、一端末から別の端末に仮想ＳＩＭカードを移行することは、仮想ＳＩＭカードのデータを単にコピーすることによっては実行できず、管理モジュールを用いて実行されることが必要であり、その管理モジュールは、ＳＩＭカードデータからローカル格納アドレス及びネットワーク格納アドレスを取得する。
【００６２】
１．１．端末は、ユーザデータを取得する。
【００６３】
仮想ＳＩＭカードに関連付けられるユーザデータは、ローカル格納アドレスに従って取得される。
【００６４】
１．２．端末は、サーバに、ユーザデータを保存する。
【００６５】
管理モジュールは、ネットワーク格納アドレスに従って、サーバに要求を送信し、要求は、仮想ＳＩＭカードに関連付けられるユーザデータの所有者識別子を伝達し、次に、ローカル格納アドレスに対応するユーザデータをサーバに送信する。要求メッセージが送信される前に、サーバは、管理モジュールが要求者として合法的かを決定するよう、管理モジュールを認証する必要の可能性がある。
【００６６】
１．３．サーバは、ユーザデータを処理し、端末に処理結果をフィードバックする。
【００６７】
サーバは、以降の照会時の使用の利便性のために、受信されたユーザデータをメモリに保存し、ユーザデータとユーザデータの所有者識別子との間の対応関係を記録する。処理が完了した後、サーバは、端末に処理結果を戻す。
【００６８】
図５に示されているように、仮想ＳＩＭカードを受信する宛先端末側上でのユーザデータのダウンロード処理が、以下を含む。
【００６９】
２．０．端末がユーザデータを復元するための命令を受信する。
【００７０】
仮想ＳＩＭカードのデータは、例えば、ＳＤカードコピー、Ｂｌｕｅｔｏｏｔｈ（登録商標）送信、ＮＦＣ送信、ネットワークバックアップ／復元などの複数の手段によってソース端末から宛先端末に移行される。仮想ＳＩＭカードをアクティブ化する動作が完了した後、管理モジュールが、ユーザデータを復元する命令を受信し、ユーザデータを復元し始める。
【００７１】
２．１．サーバに要求メッセージを送信する。
【００７２】
管理モジュールは、サーバにユーザデータを取得する要求を送信し、その要求は、ユーザデータの所有者識別子を伝達する。要求の前に、管理モジュールは、管理モジュール自身が要求者として合法的かを決定するよう、サーバにより認証される必要があり得る。
【００７３】
２．２．サーバは、ユーザデータを戻す。
【００７４】
サーバは、ユーザデータの受信された所有者識別子に従って、対応するユーザデータを見付けてそのユーザデータを戻す。
【００７５】
２．３．端末は、ローカル格納スペースに、ユーザデータを保存する。
【００７６】
サーバにより戻されたユーザデータを受信した後、管理モジュールは、ローカルメモリに、ユーザデータを保存する。保存位置が、ローカルメモリの実際のステータス（スペースの大きさ、ＳＤカードを含むか否かなど）に従って決定され、仮想ＳＩＭカードのデータにおけるローカル格納アドレスは、その保存が無事に完了した後に更新される。
【００７７】
具体的な実施形態２：ユーザデータが複数の端末の間で直接に送信される。図６に示されているように、処理は以下を含む。
【００７８】
３．０．ソース端末の管理モジュールが仮想ＳＩＭカードを移行するための命令を受信する。
【００７９】
３．１．ソース端末の管理モジュールは、仮想ＳＩＭカードに関連付けられるユーザデータを取得する。
【００８０】
ソース端末の管理モジュールは、ＳＩＭカードデータからユーザデータのローカル格納アドレスを取得し、アドレスからユーザデータを読み取る。
【００８１】
３．２．ソース端末の管理モジュールは、送信されるべきデータを準備する。
【００８２】
ユーザデータのコンテンツ及びＳＩＭカードデータが、送信されるべきデータに置かれる、又は、永続的に格納できるファイルに形成される、若しくは、一時的にメモリに格納される。
【００８３】
３．３．ソース端末は、送信されるべきデータを送信する。
【００８４】
セキュア接続がソース端末と宛先端末との間で確立される。無線又は有線通信モードがデータ送信チャネルを確立するのに用いられてよく、ソース端末と宛先端末との間の相互認証が成功した後、ソース端末は、送信されるべきデータ、すなわち、ＳＩＭカードデータとユーザデータとを宛先移動端末に送信する。
【００８５】
３．４．宛先端末は、ＳＩＭカードデータ及びユーザデータを格納する。
【００８６】
宛先端末の管理モジュールは、受信された情報を解析し、対応する位置でＳＩＭカードデータを保存し、ローカルメモリにユーザデータを保存し、仮想ＳＩＭカードのデータに記録されているローカル格納アドレスを更新する。
【００８７】
図７を参照すると、本願発明の実施形態に提供される端末デバイス７０が、仮想ＳＩＭカードを別の端末に移行するための命令を受信するよう構成される命令受信ユニット７０１と、命令に従って、仮想ＳＩＭカードに関連付けられるユーザデータを取得するよう構成されるデータ取得ユニット７０２と、サーバにユーザデータを送信する、又は、別の端末にユーザデータを送信するよう構成されるデータ出力ユニット７０３とを備える。
【００８８】
任意に、データ取得ユニット７０２は、命令に従って、ユーザデータを含む、仮想ＳＩＭカードのＳＩＭカードデータを取得するよう具体的に構成され、データ出力ユニット７０３は、サーバにＳＩＭカードデータを送信する、又は別の端末にＳＩＭカードデータを送信するよう具体的に構成される。
【００８９】
任意に、データ取得ユニット７０２は、命令に従って、仮想ＳＩＭカードのＳＩＭカードデータを取得し、ＳＩＭカードデータに含まれる、ユーザデータのローカル格納アドレスを取得し、ローカル格納アドレスに従って、ユーザデータを取得するよう具体的に構成される。
【００９０】
さらに、データ取得ユニット７０２は、ＳＩＭカードデータに含まれる、ユーザデータのネットワーク格納アドレスを取得するよう具体的に構成され、データ出力ユニット７０３は、ネットワーク格納アドレスに対応するサーバに、ユーザデータをアップロードするよう具体的に構成される。
【００９１】
さらに、データ出力ユニット７０３は、ユーザデータの所有者識別子をサーバに送信するようさらに構成され、これにより、サーバは、ユーザデータをダウンロードする要求を受信したとき、別の端末にユーザデータを送信する。当該要求は、その別の端末により送信され、所有者識別子を伝達する。
【００９２】
具体的には、ユーザデータは、連絡先情報、ショートメッセージ、テキスト文書、イメージデータ、ビデオデータ、及びオーディオデータという複数の種類のデータのうちの１つ又はそれらの任意の組み合わせを含む。
【００９３】
なお、この実施形態における端末デバイスは、先述のステップＳ１０１〜Ｓ１０３を実行するのに用いられ、その方法に関する複数の先述の解釈及び制限は、この実施形態の端末デバイスにも適用される。
【００９４】
図８を参照すると、本願発明の実施形態に提供される端末デバイス８０が、別の端末の仮想加入者識別モジュールＳＩＭカードを当端末に移行するための命令を受信するよう構成される命令受信ユニット８０１と、命令に従って、サーバにより送信され、仮想ＳＩＭカードに関連付けられるユーザデータを受信するよう構成される第１のデータ受信ユニット８０２と、及び／又は、命令に従って、別の端末により送信され、仮想ＳＩＭカードに関連付けられるユーザデータを受信するよう構成される第２のデータ受信ユニット８０３とを備える。
【００９５】
第１のデータ受信ユニット８０２は、命令に従って、別の端末により送信される、仮想ＳＩＭカードのＳＩＭカードデータを受信し、ＳＩＭカードデータに含まれる、ユーザデータのネットワーク格納アドレスを取得し、ネットワーク格納アドレスに対応するサーバにユーザデータを送信するよう要求し、サーバにより送信されるユーザデータを受信するよう具体的に構成される。
【００９６】
さらに、端末デバイス８０は、第１のデータ受信ユニットがサーバにより送信されるユーザデータを受信した後、ユーザデータのローカル格納アドレスを取得し、ＳＩＭカードデータにローカル格納アドレスを記録するよう構成されるローカル記録ユニットをさらに備える。
【００９７】
図９を参照すると、本願発明の実施形態に提供される端末デバイス９０が、仮想ＳＩＭカードに関連付けられるユーザデータを格納するよう構成されるメモリ９０１と、仮想ＳＩＭカードを別の端末に移行するための命令を受信し、命令に従って、ユーザデータを取得するよう構成されるプロセッサ９０２と、サーバにユーザデータを送信する、又は、別の端末にユーザデータを送信するよう構成される送信機９０３とを備える。
【００９８】
任意に、メモリ９０１は、仮想ＳＩＭカードのＳＩＭカードデータを格納するようさらに構成され、命令に従ってユーザデータを取得するよう構成されるプロセッサ９０２は、命令に従って、ユーザデータを含むＳＩＭカードデータを取得し、送信機９０３は、サーバにＳＩＭカードデータを送信する、又は、別の端末にＳＩＭカードデータを送信するよう具体的に構成される。
【００９９】
任意に、メモリ９０１は、仮想ＳＩＭカードのＳＩＭカードデータを格納するようさらに構成され、命令に従って、ユーザデータを取得するよう構成されるプロセッサ９０２は、命令に従って、ＳＩＭカードデータを取得し、ＳＩＭカードデータに含まれる、ユーザデータのローカル格納アドレスを取得し、ローカル格納アドレスに従ってユーザデータを取得する。
【０１００】
さらに、プロセッサ９０２は、ＳＩＭカードデータに含まれる、ユーザデータのネットワーク格納アドレスを取得するようさらに構成され、送信機９０３は、ネットワーク格納アドレスに対応するサーバに、ユーザデータをアップロードするよう具体的に構成される。
【０１０１】
さらに、送信機９０３は、サーバにユーザデータの所有者識別子を送信するようさらに構成され、これにより、サーバは、ユーザデータをダウンロードする要求を受信したとき、別の端末にユーザデータを送信し、当該要求はその別の端末により送信され、所有者識別子を伝達する。
【０１０２】
具体的に、ユーザデータは、連絡先情報、ショートメッセージ、テキスト文書、イメージデータ、ビデオデータ、及びオーディオデータという複数の種類のデータのうちの１つ又はそれらの任意の組み合わせを含む。
【０１０３】
図１０を参照すると、本願発明の実施形態に提供される端末デバイス１００が、別の端末の仮想加入者識別モジュールＳＩＭカードを当端末に移行するための命令を受信するよう構成されるプロセッサ１００１と、命令に従って、サーバにより送信され、仮想ＳＩＭカードに関連付けられるユーザデータを受信する、又は、命令に従って、別の端末により送信され、仮想ＳＩＭカードに関連付けられるユーザデータを受信するよう構成されるトランシーバ１００２と、ユーザデータを格納するよう構成されるメモリ１００３とを備える。
【０１０４】
命令に従って、サーバにより送信され、仮想ＳＩＭカードに関連付けられるユーザデータを受信するよう構成されるトランシーバ１００２は、命令に従って、別の端末により送信される、仮想ＳＩＭカードのＳＩＭカードデータを受信し、ＳＩＭカードデータに含まれる、ユーザデータのネットワーク格納アドレスに対応するサーバにユーザデータを送信するよう要求し、サーバにより送信されるユーザデータを受信する。
【０１０５】
メモリ１００３は、トランシーバが、別の端末により送信される、仮想ＳＩＭカードのＳＩＭカードデータを受信した後、ＳＩＭカードデータを格納するようさらに構成され、プロセッサ１００１は、トランシーバがサーバにより送信されるユーザデータを受信した後、ユーザデータのローカル格納アドレスを取得し、メモリに格納されているＳＩＭカードデータに、ローカル格納アドレスを記録するようさらに構成される。
【０１０６】
結論として、本願発明の複数の実施形態は、ユーザデータを送信及び受信するための複数の方法及び複数の端末デバイスを提供し、仮想ＳＩＭカードが複数の端末の間で移行されるとき、その仮想ＳＩＭカードに関連付けられるユーザデータが移行されることを実現し、それにより、ユーザによりユーザデータを別途に移行することを避け、ユーザの処理ステップを減少させ、より高まる利便性を提供する。
【０１０７】
当業者であれば、本願発明の複数の実施形態が方法、システム、又はコンピュータプログラム製品として提供され得ることが理解すべきである。従って、本願発明は、ハードウェアのみの実施形態、ソフトウェアのみの実施形態、又は、ソフトウェア及びハードウェアの組み合わせでの複数の実施形態の形式を用いてよい。さらに、本願発明は、コンピュータ使用可能なプログラムコードを含む１つ又は複数の、コンピュータ使用可能な記憶媒体（磁気ディスク記憶装置、光記憶装置などを含むが、それらに限定されない）に実装されるコンピュータプログラム製品の形式を用いてよい。
【０１０８】
本願発明の複数の実施形態に係る方法、デバイス（システム）、及びコンピュータプログラム製品の複数のフローチャート及び／又はブロック図に関連して、本願発明は説明される。複数のコンピュータプログラム命令が、複数のフローチャート及び／又は複数のブロック図の各処理及び／又は各ブロック、並びに、複数のフローチャート及び／又は複数のブロック図の処理及び／又はブロックの組み合わせを実行するのに用いられ得ることが理解されるべきである。これらのコンピュータプログラム命令は、汎用コンピュータ、専用コンピュータ、組み込みプロセッサ、又は、任意の他のプログラマブルなデータ処理デバイスのプロセッサのために提供されてよく、機械を生成する。これにより、任意の他のプログラマブルなデータ処理デバイスのコンピュータ又はプロセッサにより実行される複数の命令は、複数のフローチャートの１つ又は複数の処理及び／又は複数のブロック図の１つ又は複数のブロックにおける特定の機能を実行するための装置を生成する。
【０１０９】
これらのコンピュータプログラム命令はまた、コンピュータ又は任意の他のプログラマブルなデータ処理デバイスに、特定の方式で動作するよう命令することができるコンピュータ可読メモリに格納されてよく、これにより、コンピュータ可読メモリに格納されている複数の命令は、命令装置を含む製造品を生成する。その命令装置は、複数のフローチャートの１つ又は複数の処理及び／又は複数のブロック図の１つ又は複数のブロックにおいて特定の機能を実行する。
【０１１０】
これらのコンピュータプログラム命令はまた、コンピュータ又は別のプログラマブルなデータ処理デバイス上にロードされてよく、これにより、一連の操作及びステップが、コンピュータ又は別のプログラマブルなデバイス上で実行され、それにより、コンピュータ実行処理を生成する。従って、コンピュータ又は別のプログラマブルなデバイス上で実行される複数の命令は、複数のフローチャートの１つ又は複数の処理及び／又は複数のブロック図の１つ又は複数のブロックにおいて特定の機能を実行するための複数のステップを提供する。
【０１１１】
明らかに、当業者は、本願発明の趣旨及び範囲から逸脱することなく、本願発明の様々な修正例及び変形例を成すことができる。これらの修正例及び変形例が以下の請求項及びそれらの同等の技術により画定される保護範囲内に含まれるという条件であれば、本願発明はこれらの修正例及び変形例を含むことを意図する。
【図１】
0006370912.tif 000002
【図２】
0006370912.tif 000003
【図３】
0006370912.tif 000004
【図４】
0006370912.tif 000005
【図５】
0006370912.tif 000006
【図６】
0006370912.tif 000007
【図７】
0006370912.tif 000008
【図８】
0006370912.tif 000009
【図９】
0006370912.tif 000010
【図１０】
0006370912.tif 000011